(57)【要約】【課題】聴取者が違和感を覚えることを抑制しつつ、オーディオ信号の供給制限が可能な「オーディオ再生装置」を提供する。【解決手段】アンプユニット１０内の保護回路２２は、パワーアンプ１６の温度が第２の閾値以上である、あるいは、スピーカ３０の温度が第３の閾値以上である場合には、オーディオ信号に対応する直流信号が第１の閾値未満であれば、パワーアンプ１６及びスピーカ３０へのオーディオ信号の供給を制限している。また、保護回路２２は、オーディオ信号の供給制限の後、パワーアンプ１６の温度が第２の閾値未満であり、且つ、スピーカ３０の温度が第３の閾値未満である場合には、オーディオ信号に対応する直流信号が第１の閾値未満であれば、その供給制限を解除する。【選択図】  図１
2007174384.tif 000002
【特許請求の範囲】
【請求項１】
オーディオ信号を増幅する増幅回路と、前記増幅回路によって増幅されたオーディオ信号に基づく再生音を出力するスピーカとを備えたオーディオ再生装置であって、
前記増幅回路及び前記スピーカへのオーディオ信号の供給を制限すべき状態であるか否かを判定する制限状態判定手段と、
入力されるオーディオ信号のレベルを検出するレベル検出手段と、
前記制限状態判定手段によりオーディオ信号の供給を制限すべき状態であると判定され、且つ、前記レベル検出手段により検出されるレベルが予め定められた閾値未満である場合に、前記入力されるオーディオ信号の前記増幅回路及び前記スピーカへの供給を制限する供給制限手段とを有することを特徴とするオーディオ再生装置。
【請求項２】
前記制限状態判定手段は、前記増幅回路及び前記スピーカの少なくともいずれかの温度、前記増幅回路及び前記スピーカの少なくともいずれかに供給される電力量、及び、前記スピーカに設けられる振動機構の振動量の少なくともいずれかに基づいて、前記入力されるオーディオ信号の前記増幅回路及び前記スピーカへの供給を制限すべき状態であるか否かを判定することを特徴とする請求項１に記載のオーディオ再生装置。
【請求項３】
オーディオ信号を増幅する増幅回路と、前記増幅回路によって増幅されたオーディオ信号に基づく再生音を出力するスピーカとを備えたオーディオ再生装置であって、
前記増幅回路及び前記スピーカへのオーディオ信号の供給が制限されている場合に、該制限を解除すべき状態であるか否かを判定する制限解除状態判定手段と、
入力されるオーディオ信号のレベルを検出するレベル検出手段と、
前記制限解除状態検出手段によりオーディオ信号の供給の制限を解除すべき状態であると判定され、且つ、前記レベル検出手段により検出されるレベルが予め定められた閾値未満である場合に、前記入力されるオーディオ信号の増幅回路及び前記スピーカへの供給の制限を解除する供給制限解除手段とを有することを特徴とするオーディオ再生装置。
【請求項４】
前記制限解除状態判定手段は、前記増幅回路及び前記スピーカの少なくともいずれかの温度、前記増幅回路及び前記スピーカの少なくともいずれかに供給される電力量、及び、前記スピーカに設けられる振動機構の振動量の少なくともいずれかに基づいて、前記入力されるオーディオ信号の前記増幅回路及び前記スピーカへの供給の制限を解除すべき状態であるか否かを判定することを特徴とする請求項３に記載のオーディオ再生装置。
【請求項５】
前記レベル検出手段により検出されるレベルは、前記入力されるオーディオ信号に対応する曲の間において、前記閾値未満になることを特徴とする請求項１乃至４のいずれかに記載のオーディオ再生装置。
【発明の詳細な説明】
【技術分野】
【０００１】
本発明は、オーディオ信号を増幅する増幅回路と、この増幅回路によって増幅されたオーディオ信号に基づく再生音を出力するスピーカとを備えたオーディオ再生装置に関する。
【背景技術】
【０００２】
従来より、オーディオ再生装置には、内部の増幅回路やスピーカの破損を防止すべく、これら増幅回路やスピーカの温度が予め定められた値以上となった場合に、オーディオ信号の供給を制限する保護回路を備えたものがある（例えば、特許文献１及び２参照）。
【特許文献１】特開２００２−２４７６８０号公報
【特許文献２】特開２００４−４０６９４号公報
【発明の開示】
【発明が解決しようとする課題】
【０００３】
しかし、上述した保護回路によるオーディオ信号の供給制限の手法では、例えば曲の再生中等のオーディオ信号のレベルが高い場合、換言すれば、再生音の音圧が大きい場合にオーディオ信号の供給が制限されると、音圧の変化が大きいため、聴取しているユーザが違和感を覚える場合がある。例えば、再生音の音圧が大きい場合には、低域の音においては３ｄＢ以上の音圧の変化、中域の音においては１ｄＢ以上の音圧の変化が生じると、聴取者は、その変化を簡単に認識することができるため、違和感を覚えることになる。
【０００４】
本発明の目的は、上述した問題を解決するものであり、聴取者が違和感を覚えることを抑制しつつ、オーディオ信号の供給制限が可能なオーディオ再生装置を提供するものである。
【課題を解決するための手段】
【０００５】
本発明のオーディオ再生装置は、オーディオ信号を増幅する増幅回路と、前記増幅回路によって増幅されたオーディオ信号に基づく再生音を出力するスピーカとを備えており、前記増幅回路及び前記スピーカへのオーディオ信号の供給を制限すべき状態であるか否かを判定する制限状態判定手段と、入力されるオーディオ信号のレベルを検出するレベル検出手段と、前記制限状態判定手段によりオーディオ信号の供給を制限すべき状態であると判定され、且つ、前記レベル検出手段により検出されるレベルが予め定められた閾値未満である場合に、前記入力されるオーディオ信号の前記増幅回路及び前記スピーカへの供給を制限する供給制限手段とを有することを特徴とする。
【０００６】
この構成によれば、増幅回路及びスピーカへのオーディオ信号の供給を制限すべき状態である場合には、入力されるオーディオ信号のレベルが低い場合、換言すれば、再生音の音圧が小さい場合にこれら増幅回路及びスピーカへのオーディオ信号の供給が制限される。この閾値を可聴限界、もしくはそれに近い小音圧とすると、変化を聞き取り辛くなる。従って、供給制限の前後で聴取者が違和感を覚えることが抑制される。
【０００７】
また、本発明のオーディオ再生装置は、前記制限状態判定手段が、前記増幅回路及び前記スピーカの少なくともいずれかの温度、前記増幅回路及び前記スピーカの少なくともいずれかに供給される電力量、及び、前記スピーカに設けられる振動機構の振動量の少なくともいずれかに基づいて、前記入力されるオーディオ信号の前記増幅回路及び前記スピーカへの供給を制限すべき状態であるか否かを判定するようにしてもよい。
【０００８】
増幅回路は、温度の上昇や、供給される電力量の増加によって破損しやすくなる。また、スピーカは、温度の上昇や、供給される電力量の増加に加えて、振動機構の振動量の増加によって破損しやすくなる。従って、この構成により、増幅回路の温度、供給される電力量、スピーカの温度、供給される電力量、振動機構の振動量に基づいて、これら増幅回路及びスピーカへのオーディオ信号の供給を制限すべき状態であるか否かを判定することによって、適切な判定が可能となる。
【０００９】
本発明のオーディオ再生装置は、オーディオ信号を増幅する増幅回路と、前記増幅回路によって増幅されたオーディオ信号に基づく再生音を出力するスピーカとを備えており、前記増幅回路及び前記スピーカへのオーディオ信号の供給が制限されている場合に、該制限を解除すべき状態であるか否かを判定する制限解除状態判定手段と、入力されるオーディオ信号のレベルを検出するレベル検出手段と、前記制限解除状態検出手段によりオーディオ信号の供給の制限を解除すべき状態であると判定され、且つ、前記レベル検出手段により検出されるレベルが予め定められた閾値未満である場合に、前記入力されるオーディオ信号の増幅回路及び前記スピーカへの供給の制限を解除する供給制限解除手段とを有することを特徴とする。
【００１０】
この構成によれば、増幅回路及びスピーカへのオーディオ信号の供給の制限を解除すべき状態である場合には、入力されるオーディオ信号のレベルが低い場合、換言すれば、再生音の音圧が小さい場合にこれら増幅回路及びスピーカへのオーディオ信号の供給制限が解除される。この閾値を可聴限界、もしくはそれに近い小音圧とすると、変化を聞き取り辛くなる。従って、供給制限の解除の前後で再生音の音圧の変化が小さく、聴取者が違和感を覚えることが抑制される。
【００１１】
また、本発明のオーディオ再生装置は、前記制限解除状態判定手段が、前記増幅回路及び前記スピーカの少なくともいずれかの温度、前記増幅回路及び前記スピーカの少なくともいずれかに供給される電力量、及び、前記スピーカに設けられる振動機構の振動量の少なくともいずれかに基づいて、前記入力されるオーディオ信号の前記増幅回路及び前記スピーカへの供給の制限を解除すべき状態であるか否かを判定するようにしてもよい。
【００１２】
上述したように、増幅回路は、温度の上昇や、供給される電力量の増加によって破損しやすくなる。また、スピーカは、温度の上昇や、供給される電力量の増加に加えて、振動機構の振動量の増加によっては損しやすくなる。従って、この構成により、増幅回路の温度、供給される電力量、スピーカの温度、供給される電力量、振動機構の振動量に基づいて、これら増幅回路及びスピーカへのオーディオ信号の供給の制限を解除すべき状態であるか否かを判定することによって、適切な判定が可能となる。
【００１３】
また、本発明のオーディオ再生装置は、前記レベル検出手段により検出されるレベルが、前記入力されるオーディオ信号に対応する曲の間において、前記閾値未満になるようにしてもよい。
【発明の効果】
【００１４】
本発明によれば、増幅回路及びスピーカへのオーディオ信号の供給を制限すべき状態、あるいは、この制限を解除すべき状態である場合には、入力されるオーディオ信号のレベルが低い場合にこれら増幅回路及びスピーカへのオーディオ信号の供給の制限、あるいは、この制限の解除が行われるため、聴取者が違和感を覚えることが抑制される。
【発明を実施するための最良の形態】
【００１５】
以下、本発明の実施の形態について、図面を参照して具体的に説明する。
【００１６】
図１は、本発明の実施形態にかかるオーディオ再生装置の構成を示す図である。図１に示すオーディオ再生装置は、オーディオ信号に基づくオーディオ音の再生を行うものであり、外部から入力されるオーディオ信号を増幅して出力するアンプユニット１０と、当該アンプユニットによって増幅されたオーディオ信号に基づく再生音を出力するスピーカ３０とを備える。
【００１７】
これらのうち、アンプユニット１０は、積分回路１２、信号レベル判定部１４、パワーアンプ１６、熱検出部１７、熱判定部１８、２０及び保護回路２２を有する。このアンプユニット１０に供給されるオーディオ信号は、保護回路２２及びパワーアンプ１６を介してスピーカ３０へ出力される。一方、スピーカ３０には、熱検出部３１が取り付けられている。
【００１８】
アンプユニット１０内の積分回路１２は、外部から入力されるオーディオ信号を直流信号に変換して信号レベル判定部１４へ出力する。信号レベル判定部１４は、入力した直流信号のレベルと予め定められた閾値（第１の閾値）とを比較し、その比較の結果を保護回路２２へ出力する。なお、第１の閾値は、その直流信号に対応するオーディオ信号のレベルの変化の度合いが大きくても、聴取者が違和感を覚える可能性の低い値である。
【００１９】
熱検出部１７は、例えばサーミスタであり、パワーアンプ１６に取り付けられて当該パワーアンプ１６の温度を検出する。熱判定部１８は、熱検出部１７によって検出されたパワーアンプ１６の温度と予め定められた閾値（第２の閾値）とを比較し、その比較の結果を保護回路２２へ出力する。なお、第２の閾値は、パワーアンプ１６が熱によって破損する温度よりも小さい値であり、パワーアンプ１６の温度がその第２の閾値から破損する温度に達するまでの時間的余裕がある温度である。
【００２０】
熱検出部３１は、例えばサーミスタであり、スピーカ３０に取り付けられて当該スピーカ３０の温度を検出する。熱判定部２０は、熱検出部３１によって検出されたスピーカ３０の温度と予め定められた閾値（第３の閾値）とを比較し、その比較の結果を保護回路２２へ出力する。なお、第３の閾値は、スピーカ３０が熱によって破損する温度よりも小さい値であり、スピーカ３０の温度がその第３の閾値から破損する温度に達するまでの時間的余裕がある温度である。
【００２１】
保護回路２２は、外部から入力されるオーディオ信号とともに、信号レベル判定部１４によるオーディオ信号に対応する直流信号のレベルと第１の閾値との比較結果、熱判定部１８によるパワーアンプ１６の温度と第２の閾値との比較結果、及び、熱判定部２０によるスピーカ３０の温度と第３の閾値との比較結果を入力する。そして、保護回路２２は、これら比較結果に基づいて、パワーアンプ１６及びスピーカ３０へのオーディオ信号の供給制限、及び、当該供給制限の解除に関する処理を行う。
【００２２】
以下、フローチャートを参照しつつ、保護回路２２の動作を説明する。図２は、保護回路２２によるパワーアンプ１６及びスピーカ３０へのオーディオ信号の供給制限の動作を示すフローチャートである。
【００２３】
保護回路２２は、熱判定部１８によるパワーアンプ１６の温度と第２の閾値との比較結果、及び、熱判定部２０によるスピーカ３０の温度と第３の閾値との比較結果に基づいて、パワーアンプ１６の温度が第２の閾値以上であるか否か、及び、スピーカ３０の温度が第３の閾値以上であるか否かを判定する（Ｓ１０１）。
【００２４】
パワーアンプ１６の温度が第２の閾値以上、あるいは、スピーカ３０の温度が第３の閾値以上のいずれかを満たす場合には、パワーアンプ１６あるいはスピーカ３０にオーディオ信号を制限なしに供給し続けると、更に温度が上昇して熱により破損する可能性が高い。この場合、保護回路２２は、信号レベル判定部１４によるオーディオ信号に対応する直流信号のレベルと第１の閾値との比較結果に基づいて、外部から入力されるオーディオ信号に対応する直流信号が第１の閾値未満であるか否かを判定する（Ｓ１０２）。
【００２５】
外部から入力されるオーディオ信号に対応する直流信号のレベルが第１の閾値以上である場合には、保護回路２２は、再び、パワーアンプ１６の温度が第２の閾値以上であるか否か、及び、スピーカ３０の温度が第３の閾値以上であるか否かの判定（Ｓ１０１）以降の動作を繰り返す。
【００２６】
一方、外部から入力されるオーディオ信号に対応する直流信号のレベルが第１の閾値未満である場合には、オーディオ信号のパワーアンプ１６及びスピーカ３０への供給の制限により、当該オーディオ信号のレベルが低下しても、聴取者が違和感を覚える可能性は低い。図３は、オーディオ信号のレベル変化の一例を示す図である。図３では、オーディオ信号のレベルは曲間では小さくなり、当該オーディオ信号に対応する直流信号のレベルは、第１の閾値未満となる。
【００２７】
保護回路２２は、外部から入力されるオーディオ信号に対応する直流信号のレベルが第１の閾値未満である場合には、そのオーディオ信号のパワーアンプ１６への供給を遮断する（Ｓ１０３）。これにより、オーディオ信号のパワーアンプ１６への供給及び当該パワーアンプ１６の後段のスピーカ３０への供給が遮断されるため、パワーアンプ１６あるいはスピーカ３０の温度上昇を抑制して破損を防止することができる。なお、保護回路２２は、パワーアンプ１６へのオーディオ信号の供給を遮断する代わりに、オーディオ信号のレベルを下げてパワーアンプ１６へ供給するようにしてもよい。
【００２８】
このようにして、パワーアンプ１６へのオーディオ信号の供給が制限された後、保護回路２２は、当該制限を解除する動作を行う。図４は、保護回路２２によるパワーアンプ１６及びスピーカ３０へのオーディオ信号の供給制限の解除の動作を示すフローチャートである。
【００２９】
保護回路２２は、熱判定部１８によるパワーアンプ１６の温度と第２の閾値との比較結果、及び、熱判定部２０によるスピーカ３０の温度と第３の閾値との比較結果に基づいて、パワーアンプ１６の温度が第２の閾値未満であるか否か、及び、スピーカ３０の温度が第３の閾値未満であるか否かを判定する（Ｓ２０１）。
【００３０】
パワーアンプ１６の温度が第２の閾値未満であり、且つ、スピーカ３０の温度が第３の閾値未満である場合には、パワーアンプ１６あるいはスピーカ３０にオーディオ信号を制限なしに供給しても、これらが熱により破損する可能性はない。この場合、保護回路２２は、信号レベル判定部１４によるオーディオ信号に対応する直流信号のレベルと第１の閾値との比較結果に基づいて、外部から入力されるオーディオ信号に対応する直流信号が第１の閾値未満であるか否かを判定する（Ｓ２０２）。
【００３１】
外部から入力されるオーディオ信号に対応する直流信号のレベルが第１の閾値未満である場合には、保護回路２２は、再び、パワーアンプ１６の温度が第２の閾値未満であるか否か、及び、スピーカ３０の温度が第３の閾値未満であるか否かの判定（Ｓ２０１）以降の動作を繰り返す。
【００３２】
一方、外部から入力されるオーディオ信号に対応する直流信号のレベルが第１の閾値未満である場合には、そのオーディオ信号のパワーアンプ１６及びスピーカ３０への供給制限が解除されて当該オーディオ信号のレベルが上昇しても、聴取者が違和感を覚える可能性は低い。
【００３３】
このため、保護回路２２は、外部から入力されるオーディオ信号に対応する直流信号のレベルが第１の閾値未満である場合には、そのオーディオ信号のパワーアンプ１６への供給を再開する（Ｓ２０３）。これにより、オーディオ信号のパワーアンプ１６への供給及び当該パワーアンプ１６の後段のスピーカ３０への供給が再開される。なお、保護回路２２は、パワーアンプ１６へのオーディオ信号の供給制限の際に、当該オーディオ信号のレベルを下げて供給していた場合には、オーディオ信号のレベルを元に戻してパワーアンプ１６へ供給する。
【００３４】
このように、本実施形態のオーディオ再生装置では、保護回路２２は、パワーアンプ１６の温度が第２の閾値以上である、あるいは、スピーカ３０の温度が第３の閾値以上である場合には、外部から入力されるオーディオ信号に対応する直流信号が第１の閾値未満であれば、パワーアンプ１６及びスピーカ３０へのオーディオ信号の供給を制限している。また、保護回路２２は、オーディオ信号の供給制限の後、パワーアンプ１６の温度が第２の閾値未満であり、且つ、スピーカ３０の温度が第３の閾値未満である場合には、外部から入力されるオーディオ信号に対応する直流信号が第１の閾値未満であれば、その供給制限を解除する。
【００３５】
すなわち、外部から入力されるオーディオ信号のレベルが小さい場合、換言すれば、再生音の音圧が小さい場合に、オーディオ信号の供給制限及び当該供給制限の解除が行われる。従って、供給制限の前後、及び、供給制限の解除の前後で再生音の音圧の変化が小さく、聴取者が違和感を覚えることが抑制される。特に、スピーカ３０が中域の音を出力するものである場合には、再生音の音圧が大きいと、１ｄＢ程度の音圧の変化でも、聴取者は、その変化を認識することができるため、違和感を覚えることになるが、本実施形態のオーディオ再生装置では、音圧の変化を１ｄＢ未満に抑えて、聴取者が違和感を覚えることを抑制することができる。また、従来のオーディオ信号の供給制限や供給制限の解除と比較すると、アッテネータ量を大きくしたり、オーディオ信号の帯域を広くすることができるとともに、フェードイン、フェードアウト等の再生処理が不要となる。
【００３６】
なお、上述した実施形態では、パワーアンプ１６及びスピーカ３０の温度を検出して、これらの温度に応じて、オーディオ信号の供給制限及び当該供給制限の解除を行ったが、パワーアンプ１６及びスピーカ３０に供給される電力量を検出して、これらの電力量に応じてオーディオ信号の供給制限及び当該供給制限の解除を行ってもよい。特に、スピーカ３０が低域の音を出力するものである場合には、供給される電力が大きいために破損しやすいが、このように電力量に応じてオーディオ信号の供給制限及び当該供給制限の解除を行うことで、スピーカ３０の破損が防止される。
【００３７】
図５は、パワーアンプ１６及びスピーカ３０に供給される電力量に応じてオーディオ信号の供給制限及び当該供給制限の解除を行うオーディオ再生装置の構成を示す図である。図５に示すオーディオ再生装置は、図１に示すオーディオ再生装置と比較すると、熱検出部１７に代えて電力検出部５１、熱判定部１８に代えて電力判定部５２、熱検出部３１に代えて電力検出部５３、熱判定部２０に代えて電力検出部５４をそれぞれ備える。
【００３８】
電力検出部５１は、パワーアンプ１６に取り付けられて当該パワーアンプ１６に供給される電力量を検出する。電力判定部５２は、電力検出部５１によって検出されたパワーアンプ１６に供給される電力量と予め定められた閾値（第４の閾値）とを比較し、その比較の結果を保護回路２２へ出力する。なお、第４の閾値は、パワーアンプ１６が破損する電力量よりも小さい値である。
【００３９】
電力検出部５３は、スピーカ３０に取り付けられて当該スピーカ３０に供給される電力量を検出する。電力判定部５４は、電力検出部５３によって検出されたスピーカ３０に供給される電力量と予め定められた閾値（第５の閾値）とを比較し、その比較の結果を保護回路２２へ出力する。なお、第５の閾値は、スピーカ３０が破損する電力量よりも小さい値である。
【００４０】
オーディオ信号の供給制限を行う場合には、保護回路２２は、電力判定部５２によるパワーアンプ１６に供給される電力量と第４の閾値との比較結果、及び、電力判定部５２によるスピーカ３０に供給される電力量と第５の閾値との比較結果に基づいて、パワーアンプ１６に供給される電力量が第４の閾値以上であるか否か、及び、スピーカ３０に供給される電力量が第５の閾値以上であるか否かを判定する。そして、パワーアンプ１６に供給される電力量が第４の閾値以上、あるいは、スピーカ３０に供給される電力量が第５の閾値以上のいずれかを満たす場合には、保護回路２２は、信号レベル判定部１４によるオーディオ信号に対応する直流信号のレベルと第１の閾値との比較結果に基づいて、外部から入力されるオーディオ信号に対応する直流信号が第１の閾値未満であるか否かを判定し、第１の閾値未満である場合に、そのオーディオ信号のパワーアンプ１６への供給を制限する。
【００４１】
一方、オーディオ信号の供給制限の解除を行う場合には、保護回路２２は、電力判定部５２によるパワーアンプ１６に供給される電力量と第４の閾値との比較結果、及び、電力判定部５２によるスピーカ３０に供給される電力量と第５の閾値との比較結果に基づいて、パワーアンプ１６に供給される電力量が第４の閾値未満であるか否か、及び、スピーカ３０に供給される電力量が第５の閾値以上であるか否かを判定する。そして、パワーアンプ１６に供給される電力量が第４の閾値未満で、且つ、スピーカ３０に供給される電力量が第５の閾値未満である場合には、保護回路２２は、信号レベル判定部１４によるオーディオ信号に対応する直流信号のレベルと第１の閾値との比較結果に基づいて、外部から入力されるオーディオ信号に対応する直流信号が第１の閾値未満であるか否かを判定し、第１の閾値未満である場合に、そのオーディオ信号のパワーアンプ１６への供給の制限を解除する。
【００４２】
また、スピーカ３０に設けられる振動機構（例えば振動板）の振動量を検出して、この振動量に応じて、オーディオ信号の供給制限及び当該供給制限の解除を行ってもよい。
【００４３】
図６は、スピーカ３０に設けられる振動板の振動量に応じてオーディオ信号の供給制限及び当該供給制限の解除を行うオーディオ再生装置の構成を示す図である。図６に示すオーディオ再生装置は、図１に示すオーディオ再生装置と比較すると、熱検出部１７及び熱判定部１８を有しておらず、また、熱検出部３１に代えて振動検出部５５、熱判定部２０に代えて振動判定部５６をそれぞれ備える。
【００４４】
振動検出部５５は、スピーカ３０に取り付けられて当該スピーカ３０に設けられる振動機構の振動量を検出する。この振動検出部５５は、例えば、スピーカ３０に設けられる振動機構以外の部位に取り付けられる第１の導電性部材と、振動機構に取り付けられて当該振動機構の振動量が予め定められた閾値（第６の閾値）に達した場合に第１の導電性部材と接触する第２の導電性部材と、第１の導電性部材と第２の導電性部材とが接触した場合に導通する回路とにより構成される。なお、第６の閾値は、スピーカ３０が破損する振動量よりも小さい値である。振動判定部５６は、振動検出部５５内の回路の導通状態を保護回路２２へ通知する。
【００４５】
オーディオ信号の供給制限を行う場合、保護回路２２は、振動判定部５６からの振動検出部５５内の回路の導通状態に基づいて、スピーカ３０に設けられる振動機構の振動量が第６の閾値以上であるか否かを判定する。そして、スピーカ３０に設けられる振動機構の振動量が第６の閾値以上である場合には、信号レベル判定部１４によるオーディオ信号に対応する直流信号のレベルと第１の閾値との比較結果に基づいて、外部から入力されるオーディオ信号に対応する直流信号が第１の閾値未満であるか否かを判定し、第１の閾値未満である場合に、そのオーディオ信号のパワーアンプ１６への供給を制限する。
【００４６】
一方、オーディオ信号の供給制限の解除を行う場合には、保護回路２２は、振動判定部５６からの振動検出部５５内の回路の導通状態に基づいて、スピーカ３０に設けられる振動機構の振動量が第６の閾値未満であるか否かを判定する。そして、スピーカ３０に設けられる振動機構の振動量が第６の閾値未満である場合には、信号レベル判定部１４によるオーディオ信号に対応する直流信号のレベルと第１の閾値との比較結果に基づいて、外部から入力されるオーディオ信号に対応する直流信号が第１の閾値未満であるか否かを判定し、第１の閾値未満である場合に、そのオーディオ信号のパワーアンプ１６への供給の制限を解除する。
【産業上の利用可能性】
【００４７】
以上、説明したように、本発明に係るオーディオ再生装置は、聴取者が違和感を覚えることを抑制しつつ、オーディオ信号の供給制限が可能であり、オーディオ再生装置として有用である。
【図面の簡単な説明】
【００４８】
【図１】第１のオーディオ再生装置の構成を示す図である。
【図２】保護回路によるオーディオ信号の供給制限の動作を示すフローチャートである。
【図３】オーディオ信号のレベル変化の一例を示す図である。
【図４】保護回路によるオーディオ信号の供給制限の解除の動作を示すフローチャートである。
【図５】第２のオーディオ再生装置の構成を示す図である。
【図６】第３のオーディオ再生装置の構成を示す図である。
【符号の説明】
【００４９】
１０  アンプユニット
１２  積分回路
１４  信号レベル判定部
１６  パワーアンプ
１７、３１  熱検出部
１８、２０  熱判定部
２２  保護回路２２
３０  スピーカ
５１、５３  電力検出部
５２、５４  電力判定部
５５  振動検出部
５６  振動判定部
【図１】
2007174384.tif 000003
【図２】
2007174384.tif 000004
【図３】
2007174384.tif 000005
【図４】
2007174384.tif 000006
【図５】
2007174384.tif 000007
【図６】
2007174384.tif 000008